(57)【要約】【課題】ビデオカメラに容易且つ迅速に装着して、ビデオカメラのピントや絞り、ズームの操作調整を楽な態勢で行えるようにする。【解決手段】ビデオカメラを載置して取付ける取付台１の長手方向片側部に支持板２を立設して二つのレバー３，４を上下に回動自在に軸支して並設すると共に、取付台１の後方よりシャフト５を通して前方へ突き出し、前記二つの作動レバー３，４とシャフト５の前端部に、ビデオカメラのピントや絞り、ズームの各操作調整用リングに着脱自在に嵌着若しくは加圧接触させて回動させる回動部材６，７，８を装着したビデオカメラ用操作調整装置。【選択図】          図１
2004343284.tif 000002
【特許請求の範囲】
【請求項１】
ビデオカメラを載置して取付ける取付台の前後長手方向片側部に支持板を立設して二つの作動レバーを回動自在に軸支して並設すると共に、取付台の後方よりシャフトを通して前方へ突き出し、前記二つの作動レバーとシャフトの前端部に、ビデオカメラのピントや絞り、ズームの各操作調整用リングに着脱自在に嵌着若しくは加圧接触させて回動させる回動部材が装着されてなることを特徴とするビデオカメラ用操作調整装置。
【請求項２】
作動レバーを前部レバーと後部レバーに二分割し、分割したいずれか片方の端部に長円穴を穿設して分割した端部と端部をピンで繋ぎ合わせると共に、前部レバーと後部レバーが取付台の片側部に立設した側板に回動自在にピン止めしてなることを特徴とする請求項１記載のビデオカメラ用操作調整装置。
【請求項３】
ビデオカメラのピントの操作調整用リングを回動させる回動部材は、弾性質の円形リングにして円周の一箇所を切断分離すると共に、切断分離部が開閉自在に閉じられるようにフックを設けてピントの操作調整用リングに嵌着できるようにし、切断分離した反対側の円形リングの外周面に作動棒を立てて、該作動棒が、作動レバーの前端部に長円穴を穿設して挿通装着されてなることを特徴とする請求項１又は請求項２記載のビデオカメラ用操作調整装置。
【請求項４】
ビデオカメラの絞りの操作調整用リングを回動させる回動部材は、短冊状のプレートに弾性材を貼着して、該弾性材が前記絞りの操作調整用リングに加圧接触するようにして作動レバーの前端部に装着されてなることを特徴とする請求項１乃至請求項３のいずれか１項に記載のビデオカメラ用操作調整装置。
【請求項５】
ビデオカメラのズームの操作調整用リングを回動させる回動部材は、円板の外周に弾性材を貼着して、該弾性材がズームの操作調整用リングに加圧接触するようにすると共に、シャフトの前端部に二つの歯車を噛み合わせて、前記操作調整用リングがシャフトの回転方向と同一方向に回動するように構成されてなることを特徴とする請求項１乃至請求項４のいずれか１項に記載のビデオカメラ用操作調整装置。
【発明の詳細な説明】
【０００１】
【発明の属する技術分野】
本発明は、ビデオカメラに容易且つ迅速に装着して、ピントや絞り、ズームの操作調整を楽な態勢で行えるようにしたビデオカメラ用操作調整装置に関するものである。
【０００２】
【従来の技術及び発明が解決しようとする課題】
業務用のビデオカメラは、大きくて重量があり、通常三脚台に載せて撮影するが、即座に撮影しなければならない場合は肩乗せで撮影を行っている。
そして、その三脚台に載せての撮影においては、カメラマンは右目でファインダーを覗き、左手でピントや絞り、右手でズーム等を操作調整するのが一般的であるが、ピントや絞り、ズーム等の操作調整用リングが前部へ突き出ているため、両手を常時延ばして行わなければならず、長時間同じ態勢で行うと、手の疲れや目の疲れが生ずるなどの問題点があるほか、右目でファインダーを覗くと、ビデオカメラ本体によって右側の視野が完全に塞がれてしまい、右側で起こった場面を撮り損なうおそれがあるなどの問題点がある。
ファインダーを覗かずに、モニターで画面を確認するやり方もあるが、その場合も手はピントや絞り、ズーム等の操作調整を行うため、両手を常時前方へ延ばしていなければならず、手の疲労感はなくならない。
【０００３】
又、電気信号等による遠隔操作により、ピントや絞り、ズーム等をコントロールするやり方もあるが、手動の感触が得られないことや、装置が複雑で高価になったり、肩乗せでの撮影の場合には即座に対応するのが難しい問題点がある。例えば実開昭６１−１７６５３５号（実公昭６２−２０８２２号）公報においては、レンズ筒のレンズ絞りリング又は類似制御リングを外歯輪とし、同外歯輪に噛合する小歯輪を、レンズ筒に回動可能に外嵌する回動板に回動自在に支持し、カメラに着脱自在に固定できる取付金具に取付けたＤＣモーターで回転される回転板に、回転自在に軸支した連桿他端を、前記小歯輪軸に固定したことを特徴とするカメラの絞り類遠隔操作装置が開示されており、カメラの近くでできないような環境での撮影における操作を遠隔で行えるようしているが、レンズ筒の基部に取付金具を固定すると共に、レンズ筒の絞りリングを取り外し、その代りに外歯輪を取り付け固定するようにしてあってカメラへの着脱が容易且つ迅速にはできない構成であり、ビデオカメラのような肩乗せでの撮影の場合など即座に対応することは難しく、構造も前記外歯輪を遠隔から操作するため、駆動伝達機構が複雑になっている。
よって、本発明の課題は上記問題点を解決することを目的とするものである。
【０００４】
【課題を解決するための手段】
上記目的を達成するため、本発明は、以下に記載するような手段を講じてなるビデオカメラ用操作調整装置とするものである。
すなわち、
（１）ビデオカメラを載置して取付ける取付台の前後長手方向片側部に支持板を立設して、二つの作動レバーを回動自在に軸支して並設すると共に、取付台の後方よりシャフトを通して前方へ突き出し、前記二つの作動レバーとシャフトの前端部に、ビデオカメラのピントや絞り、ズームの各操作調整用リングに着脱自在に嵌着若しくは加圧接触させて回動させる回動部材が装着されてなることを特徴とするビデオカメラ用操作調整装置。
（２）作動レバーを前部レバーと後部レバーに二分割し、分割したいずれか片方の端部に長円穴を穿設して分割した端部と端部をピンで繋ぎ合わせると共に、前部レバーと後部レバーが取付台の片側部に立設した側板に回動自在にピン止めしてなることを特徴とする前項（１）記載のビデオカメラ用操作調整装置である。
（３）ビデオカメラのピントの操作調整用リングを回動させる回動部材は、弾性質の円形リングにして円周の一箇所を切断分離すると共に、切断分離部が開閉自在に閉じられるようにフックを設けてピントの操作調整用リングに嵌着できるようにし、切断分離した反対側の円形リングの外周面に作動棒を立てて、該作動棒が、作動レバーの前端部に長円穴を穿設して挿通装着されてなることを特徴とする前項（１）又は（２）記載のビデオカメラ用操作調整装置。
（４）ビデオカメラの絞りの操作調整用リングを回動させる回動部材は、短冊状のプレートに弾性材を貼着して、該弾性材が前記絞りの操作調整用リングに加圧接触するようにして作動レバーの前端部に装着されてなることを特徴とする前項（１）乃至（３）のいずれか１項に記載のビデオカメラ用操作調整装置。
（５）ビデオカメラのズームの操作調整用リングを回動させる回動部材は、円板の外周に弾性材を貼着して、該弾性材がズームの操作調整用リングに加圧接触するようにすると共に、シャフトの前端部に二つの歯車を噛み合わせて、前記操作調整用リングがシャフトの回転方向と同一方向に回動するように構成されてなることを特徴とする前項（１）乃至（４）のいずれか１項に記載のビデオカメラ用操作調整装置。
【０００５】
そして、上記手段を講じたビデオカメラ用操作調整装置により、ビデオカメラの前方に突き出たピントや絞り、ズームの各操作調整用リングは、ビデオカメラの後方で手動レバーやシャフトの作動により回動させることが可能となり、手を延ばして操作調整する必要がなく、楽な態勢で操作調整ができて疲労感をなくすることができると共に、ファインダーを覗いて撮影する場合でも操作調整はやりやすくなると共に、モニターで画面を確認する場合は両眼が自由に使えて右側で起こった場面を撮り損なうおそれがなくなる。
【０００６】
又、作動レバーやシャフトを手で直に作動させることにより、手動の感触が得られてプロカメラマンとしての手腕を発揮するのに有利となり、装置はシンプルとなる。ビデオカメラのピントや絞り、ズームの各操作調整用リングに、作動レバーやシャフトの前端部に装着された回動部材を着脱自在に嵌着若しくは加圧接触させることにより、ビデオカメラからの着脱が容易且つ迅速に行なわれ、肩乗せでの撮影の場合など、即座に対応することが可能となる。
【０００７】
【発明の実施の形態】
本発明の実施の形態を実施例を示す図面に基づいて説明すると、図１及び図２に示すように、ビデオカメラを載置して取付ける取付台１の長手方向片側部に支持板２を立設して二つの作動レバー３，４を上下に回動自在に軸支して並設すると共に、取付台１の後方よりシャフト５を通して前方へ突き出し、前記二つの作動レバー３，４とシャフト５の前端部には、ビデオカメラのピントや絞り、ズームの各操作調整用リングに着脱自在に嵌着若しくは加圧接触させて回動させる回動部材６，７，８が装着されて構成されている。
【０００８】
取付台１はビデオカメラを装置して取付けるべく、ビデオカメラの底板に合わせ、上板１ａと下板１ｂの間の左右両サイドにサイドブロック１ｃを介在させて組立てられた取付台であり、上板１ａの片側にはアーム１ｄを延出させて支持板２が立設され、上面にはビデオカメラの底板を取付けるための取付穴１ｅ，１ｅが穿設されている。
【０００９】
支持板２は、前後両サイドに支持部２ａ，２ｂを有するＴ字状にして立設してあり、二つの作動レバー３，４は前部レバー３ａ，４ａと後部レバー３ｂ，４ｂに分割され、分割された前部レバー３ａ，４ａと後部レバー３ｂ，４ｂとが、ピン９，９により、後部レバー３ｂ，４ｂの端部に長円穴３ｃ，４ｃを穿設して繋ぎ合わせ、前部レバー３ａ，４ａはピン１０，１０、後部レバー３ｂ，４ｂはピン１１，１１により前記支持板２の前後両サイドの支持部２ａ，２ｂに回動自在に軸支して、支持板２の内側と外側に並設されている。前記後部レバー３ｂ，４ｂの端部に穿設した長円穴３ｃ，４ｃは、前部レバー３ａ，４ａの端部に穿設しても良く、前部レバーと後部レバーのいずれか片方の端部に穿設して端部と端部がピン９，９により繋ぎ合わせてあれば良い。
【００１０】
そして、作動レバー３，４の後部レバー３ｂ，４ｂの後端部を上下に作動させると、前部レバー３ａ，４ａの前端部も同一方向に作動するようにする。
なお、作動レバー３，４は、前部レバーと後部レバーに必ずしも分割する必要はなく、一体にして作動レバーの略中心部をピンで支持板２に回動自在に軸支しても良い。この場合、作動レバー３，４の前端部と後端部の上下作動は逆方向となる。
【００１１】
作動レバー３の前端部、すなわち前部レバー３ａの前端部に装着された回動部材６は、ビデオカメラの前部の最先端部に位置するピントの操作調整用リングを回動させるようにしたもので、ゴムのような弾性質の円形リングにして円周の一箇所を切断分離して切断分離部６ａを設け、該切断分離部を開くことにより前記操作調整用リングに入れ込み、切断分離部６ａに設けたフック６ｂを引掛けて閉じることにより、操作調整用リングの外径部を掴むように嵌着され、フック６ｂを外して切断分離部を開くことにより取り外せるように開閉自在とする。
【００１２】
前記回動部材６の切断分離部６ａと反対側の外周面には、作動棒１２が立ててあり、該作動棒１２は、作動レバー３の前部レバー３ａの先端部に穿設された長円穴３ｄに挿通されてストッパー１２ａ，１２ａにより離脱しないようにしてあり、作動レバー３の上下作動により作動棒１２を作動させることにより回動部材６が回動してビデオカメラのピントの操作調整用リングを回動させるようにしてある。長円穴３ｄと作動棒１２は、回動に必要な隙間をもたせて挿通されている。
【００１３】
作動レバー４の前端部、すなわち前部レバー４ａの前端部に装着された回動部材７は、ビデオカメラの前部の最後部に位置する絞りの操作調整用リングを回動させるようにしたもので、短冊状のプレート７ａにゴムのような弾性材７ｂを貼着して、前部レバー４ａの前端部に装着され、弾性材７ｂが前記絞りの操作調整用リングの外径部に加圧接触させるようにしてあり、加圧接触させた状態で作動レバー４を上下作動させることにより回動部材７を上下動させてビデオカメラの絞りの操作調整用リングを回動させるようにしてある。
【００１４】
シャフト５の前端部に装着された回動部材８は、ビデオカメラのピントと絞りの操作調整用リングの間に位置するズームの操作調整用リングを回動させるようにしたもので、円板８ａの外周にゴムのような弾性材８ｂを貼着して歯車１３と一体にして支持板１４の上部に支持軸１５により回動自在に軸支され、シャフト５の前端部に取付けられた歯車１６と前記歯車１３を噛み合わせて、回動部材８の弾性材８ｂを操作調整用リングの外径部に加圧接触させることにより、シャフト５の回転とズームの操作調整用リングの回動が同一方向となるようにしてある。
【００１５】
シャフト５は、図３に示すように取付台１の中を挿通させ、前端部は支持板１４に装着された軸受１７により支持され、後端部は支持板１８に装着された軸受１９により支持されて、ハンドル２０が取付けられており、ビデオカメラの後方からハンドル２０を回すことにより、ズームの操作調整用リングを同一方向に回動させる。
【００１６】
なお、回動部材６，７，８は上記したような実施形態に必ずしも限定するものではなく、必要に応じて変えても良い。
【００１７】
以上のようにして、取付台１にビデオカメラを載置して取付ける場合、取付台１の上板１ａに穿設された取付穴１ｅ，１ｅよりボルトを通してビデオカメラの底板を取付ける。ビデオカメラの底板はビデオカメラを載置してレバーロックすることにより着脱自在に取付けられるようになっている。
又、取付台１の下板１ｂには、取付穴１ｆ，１ｆが穿設してあり、取付台１を三脚台に載置してボルトにより取付ける。
【００１８】
図４は、本発明に係るビデオカメラ用操作調整装置の取付台１を三脚台２１に載置して取付け、取付台１の上にビデオカメラの底板２２を取付けて、その上にビデオカメラ２３を載置して取付けた斜視図である。
【００１９】
上記図４の状態で、ビデオカメラ２３の後方より作動レバー３の後端部を上下作動させると、作動レバー３の前端部も同様に上下作動し、前端部の上下作動により作動棒１２が作動して回動部材６を回動させ、ビデオカメラ２３のピントの操作用リング２３ａを回動させる。
【００２０】
同様に作動レバー４の後端部を上下作動させると、作動レバー４の前端部も同様に上下作動し、前端部に取付けられた回動部材７の上下動によりビデオカメラ２３の絞りの操作調整用リング２３ｂを回動させる。
【００２１】
又、ビデオカメラ２３の後方よりシャフト５を後端部に取付けられたハンドル２０により回すと、シャフト５の前端部に取付けられた歯車１６と歯車１３（図２，図３）の噛合わせにより回動部材８が回動し、ビデオカメラ２３のズームの操作調整用リング２３ｃをシャフト５と同一方向に回動させる。
【００２２】
このように、作動レバー３，４の後端部とシャフト５の後端部のハンドル２０をビデオカメラ２３の後方で作動させることにより、ビデオカメラ２３の前方へ突き出たピントや絞り、ズームの各操作調整用リングを回動させて、ビデオカメラ２３のピントや絞り、ズームの各操作調整を行う。
【００２３】
【発明の効果】
以上説明したように本発明によれば、ビデオカメラの後方でビデオカメラの前部へ突き出たビームや絞り、ズームの操作調整用リングを手動で操作調整できるようにしたものであるから、ビデオカメラの前方へ手を伸ばして操作する必要がなくなり、長時間撮影を行っても手の疲れや目の疲れを防止することができるほか、モニターで映像を確認しながら撮影するのも楽になり、右側で起こった場面を撮り損なうおそれがなくなる。
【００２４】
又、ビデオカメラの後方で手動で操作することにより、手動の感触を得てピントや絞り、ズームの微妙な操作調整ができてプロカメラマンとして手腕が発揮できることや、電気信号等による遠隔操作に較べ構造が複雑にならず、安価に製作できる。
【００２５】
更に、ビデオカメラのピントや絞り、ズームの操作調整用リングへの着脱が容易且つ迅速に行えて、肩乗せでの撮影の場合など、即座に対応できる。
【図面の簡単な説明】
【図１】本発明の実施例を示す斜視図である。
【図２】図１の右側面図である。
【図３】シャフトにより回動部材を回動させる構造の実施例を示す側断面図である。
【図４】三脚台に載置し、ビデオカメラを載置して取付けた状態の斜視図である。
【符号の説明】
１  取付台
１ａ  上板
１ｂ  下板
１ｃ  サイドブロック
１ｄ  アーム
１ｅ，１ｆ  取付穴
２  支持板
２ａ，２ｂ  支持部
３，４  作動レバー
３ａ，４ａ  前部レバー
３ｂ，４ｂ  後部レバー
３ｃ，４ｃ，３ｄ  長円穴
５  シャフト
６，７，８  回動部材
６ａ  切断分離部
６ｂ  フック
７ａ  プレート
７ｂ，８ｂ  弾性材
８ａ  円板
９，１０，１１  ピン
１２  作動棒
１２ａ  ストッパー
１３，１６  歯車
１４，１８  支持板
１５  支持軸
１７，１９  軸受
２０  ハンドル
【図１】
2004343284.tif 000003
【図２】
2004343284.tif 000004
【図３】
2004343284.tif 000005
【図４】
2004343284.tif 000006